(57)【要約】【課題】バスケットボールなどのボールを突いた際の音や振動の発生を抑制するとともに、地面や床面の形状を問わずボール突きを可能とし、騒音や振動による苦情を招くことなくドリブル練習などのボール突きを行うことを可能とした球技練習具において、さらにドリブル練習などのボール突きを行う際の音の発生を抑制可能な球技練習具を提供すること。【解決手段】弾性素材により網状に形成された弾性ネット部材１０と、この弾性ネット部材１０を所定の張力で張った状態で弾性ネット部材１０の外周端縁部を支持する支持枠２０と、この支持枠２０に結合され、支持枠２０を所定の高さで略水平に保持する脚部材３０と、を備え、弾性ネット部材１０が、上方から落ちてきた設定範囲の重さのボールを、前記伸縮による復元力で上方に跳ね返し可能な弾性力に設定されていることを特徴とする球技練習具とした。【選択図】図１
2017150525.tif 000002
【特許請求の範囲】
【請求項１】
弾性素材により網状に形成された弾性網状部材と、
この弾性網状部材を所定の張力で張った状態で前記弾性網状部材の外周端縁部を支持する支持枠と、
この支持枠に結合され、所定の高さで略水平に保持する脚部材と、
を備え、
前記弾性網状部材が、上方から落ちてきた設定範囲の重さのボールを、伸縮による復元力で上方に跳ね返し可能な弾性力に設定されていることを特徴とする球技練習具。
【請求項２】
請求項１の球技練習具において、
前記弾性網状部材は、網状に形成された本体部と、この本体部から外方に延びる紐状に形成された連結用紐状部と、を備え、
前記連結用紐状部が、前記本体に張力を与えた状態で前記支持枠に係止されていることを特徴とする球技練習具。
【請求項３】
請求項２に記載の球技練習具において、
前記連結用紐状部は、その延在方向に前記支持枠に係止可能な係止部を複数備え、前記支持枠に対する係止位置の違いにより、前記本体部の弾性力を変更可能に形成されていることを特徴とする球技練習具。
【請求項４】
請求項１〜請求項３のいずれか１項に記載の球技練習具において、
前記弾性網状部材は、ハニカム状の網状に形成されていることを特徴とする球技練習具。
【請求項５】
請求項１〜請求項４のいずれか１項に記載の球技練習具において、
前記支持枠は、円環状に形成され、かつ、周方向に複数に分割した分割枠を結合して形成されていることを特徴とする球技練習具。
【請求項６】
請求項５に記載の球技練習具において、
前記脚部材は、前記複数に分割された前記分割枠同士を結合する部材を兼ねることを特徴とする球技練習具。
【請求項７】
請求項１〜請求項６のいずれか１項に記載の球技練習具において、
前記脚部材は、下端部の外周に発泡材製のカバー材が装着されていることを特徴とする球技練習具。
【発明の詳細な説明】
【技術分野】
【０００１】
本発明は、球技練習具に関し、特に、バスケットボールのドリブルの練習に好適な練習具に関するものである。
【背景技術】
【０００２】
従来、バスケットボール用の練習器具として、特許文献１に記載されているようなドリブル練習用の球技練習具が知られている。
この従来技術は、弾性素材によりシート状に形成された弾性シート材と、この弾性シート材の端縁部を支持する支持枠とを有し、弾性シート材が、上方から落ちてきたボールを、伸縮による復元力で上方に跳ね返すようになっている。【０００３】
これにより、従来技術では、ボールを地面や床に落とした場合と比較して、騒音の発生を抑えることが可能となる。
また、従来はボール突きを行うことができない砂場や砂利道あるいは住宅の畳や絨毯などの上でも、安定したボール突きが可能となり、バスケットボールのドリブル練習などのボール突きを行う場を、大幅に拡張可能となるものであった。
【先行技術文献】
【特許文献】
【０００４】
【特許文献１】特開２０１１−１１００９５号公報
【発明の概要】
【発明が解決しようとする課題】
【０００５】
しかしながら、従来技術では、屋外の使用ではボールを突いた際の音、振動を、十分に低減できるものの、例えば、屋内の使用では、使用条件（例えば、集合住宅での夜間の使用）によっては、さらなる音、振動の低減が望まれる。【０００６】
本発明は、上述の従来の問題に着目して成されたもので、バスケットボールなどのボールを突いた際の音、振動の発生を抑制するとともに、地面や床面の形状を問わずボール突きを可能とし、騒音や振動による苦情を招くことなくドリブル練習などのボール突きを行うことを可能とした球技練習具において、さらにドリブル練習などのボールを突いた際の音、振動の発生を抑制可能な球技練習具を提供することを目的とするものである。
【課題を解決するための手段】
【０００７】
上述の目的を達成するために本発明は、
弾性素材により網状に形成された弾性網状部材と、
この弾性網状部材を所定の張力で張った状態で前記弾性網状部材の外周端縁部を支持する支持枠と、
この支持枠に結合され、所定の高さで略水平に保持する脚部材と、
を備え、
前記弾性網状部材が、上方から落ちてきた設定範囲の重さのボールを、伸縮による復元力で上方に跳ね返し可能な弾性力に設定されていることを特徴とする球技練習具とした。
【発明の効果】
【０００８】
本発明の球技練習具は、弾性を有した網状の弾性網材を用いたことにより、弾性シートを用いたものと比較して、弾性ボールを突いた際の騒音の発生をさらに抑えることが可能となった。
【図面の簡単な説明】
【０００９】
【図１】本発明の実施の形態１の球技練習具Ａを示す斜視図である。
【図２】実施の形態１の球技練習具Ａにおける弾性ネット部材の平面図である。
【図３】実施の形態１の球技練習具Ａにおける支持枠の平面図である。
【図４】実施の形態１の球技練習具Ａの要部を拡大して示す側面図である。
【図５】実施の形態２の球技練習具の要部を示す斜視図である。
【発明を実施するための形態】
【００１０】
以下、本発明の実施の形態を図面に基づいて説明する。
以下に、図１〜図４に基づいて、この発明の実施の形態１の球技練習具Ａについて説明する。
実施の形態１の球技練習具Ａは、その斜視図である図１に示すように、弾性ネット部材（弾性網状部材）１０と支持枠２０と脚部材３０とを備えている。
【００１１】
弾性ネット部材１０は、図２に示すように、網状に形成された本体部１１と、この本体部１１の外周部から外径方向に放射状に延びる紐状に形成された複数の連結用ライン部（連結用紐状部）１２と、を備える。
【００１２】
本体部１１は、天然ゴム、合成ゴムなどにより形成された細紐状の弾性材によりハニカム状に一体成形され、かつ、全体形状が円形に近い略多角形状（本実施の形態１では、１２角形状に近い形状）を成すように形成されている。
さらに、本体部１１の外周部分は、ハニカム同士をハニカムの１／２の形状の部分で連結した第１の連結部１１ａと、ハニカムの１つの角部を省略した５角形状として連結した第２の連結部１１ｂとが、周方向に交互に配置され、合計で１２箇所に両連結部１１ａ，１１ｂが設けられている。
【００１３】
連結用ライン部１２は、各連結部１１ａ，１１ｂの周方向の中央位置から外径方向に延在されており、本体部１１の外周の１２箇所に周方向で等間隔に設けられている。
そして、連結用ライン部１２は、細紐状のライン部本体１２ａと、ライン部本体１２ａにおいて延在方向に等間隔で配置されてライン部本体１２ａよりも大径の球状に形成された複数（本実施の形態１では４つ）の係止突起部１２ｂと、を備える。
【００１４】
支持枠２０は、本実施の形態では、図３に示すように、円環状に形成されており、金属、樹脂、木材などにより形成されている。また、本実施の形態１では、支持枠２０は、周方向に三分割された分割枠２０ａ，２０ｂ，２０ｃを、それぞれ、周方向の端部同士を突き合わせて結合して形成されている。
【００１５】
さらに、支持枠２０の外周部には、円周方向に等間隔で１２箇所に、支持枠２０の円弧の中心軸に沿う方向に延在された縦溝２１が形成されている。この縦溝２１は、溝幅が、ライン部本体１２ａの直径寸法程度であって係止突起部１２ｂより幅狭に形成されているとともに、外径側の開口部分が、ライン部本体１２ａの直径よりも幅を狭く形成されている。そして、縦溝２１の下端部の外周縁部の支持枠２０の下端面が、係止突起部１２ｂを前記中心軸に沿う方向に係止させることができるストッパ部２２とされている。
【００１６】
図１に戻り、脚部材３０は、支持枠２０を、所定の高さに保持するものであり、支持枠２０の周方向の３以上の複数箇所であって、実施の形態１では３箇所に等間隔で設けられている。
この脚部材３０は、金属製のブラケット部３１および脚本体３２と、発泡弾性材製のカバー材３３とを備える。
ブラケット部３１は、薄板状の第１片３１ａと第２片３１ｂとにより略Ｌ字断面形状に形成されている。そして、第１片３１ａを、支持枠２０の各分割枠２０ａ，２０ｂ，２０ｃの結合個所において分割枠２０ａ，２０ｂ，２０ｃに跨って支持枠２０の下面に沿わせて配置し、跨る両分割枠に螺子などで固定されている。したがって、ブラケット部３１は、支持枠２０に脚部材３０を固定するとともに、分割枠２０ａ，２０ｂ，２０ｃの隣り合うもの同士を結合する結合部材を兼ねている。
【００１７】
脚本体３２は、上端部を前記ブラケット部３１の第２片３１ｂに螺子等により固定され、ブラケット部３１から下方に延在されている。
【００１８】
カバー材３３は、発泡弾性材により形成され、脚本体３２の下端部の外周に装着され、脚部材３０から本球技練習具Ａを載置した床や地面などへの振動の伝達を抑制する。なお、発泡弾性材としては、発泡ゴム、発泡プラスチック（ＰＵフォーム、ＰＥフォーム、ＰＶＣフォームなど）を用いることができる。
また、カバー材３３は、側方から見た形状が円錐状に形成され、底面３３ａの面積が、脚本体３２の断面積よりも広く確保されている。
【００１９】
次に、前述の弾性ネット部材１０の支持枠２０への取付構造について説明する。
弾性ネット部材１０は、中心から連結用ライン部１２の先端位置までの寸法（図２のＬｒに示す寸法）が、自然長で、支持枠２０の内径寸法程度の大きさに形成されており、弾性ネット部材１０を外径方向に伸長させた展張状態で、支持枠２０に連結支持されている。
【００２０】
すなわち、各連結用ライン部１２をそれぞれ引張状態として支持枠２０の縦溝２１に連結することで、弾性ネット部材１０を全体的に伸長し、ボールを跳ね返すための弾性力が与えられる。
詳細には、図４に示すように、弾性ネット部材１０の各連結用ライン部１２のライン部本体１２ａを、支持枠２０の縦溝２１に挿通するとともに、係止突起部１２ｂを、ストッパ部２２に係止することで、連結用ライン部１２が支持枠２０に連結されている。図４に示す例では、各連結用ライン部１２は、先端側から３番目の係止突起部１２ｂが支持枠２０の下面のストッパ部２２に係止されている。なお、連結用ライン部１２のライン部本体１２ａを縦溝２１に挿通する際には、連結用ライン部１２を、伸長させて直径が細くなるように弾性変形させた状態で、縦溝２１の開口部分を通過させる。
【００２１】
また、縦溝２１の下端のストッパ部２２に係止させる係止突起部１２ｂの位置を変えることにより、弾性ネット部材１０の弾性力を段階的に調整することができる。
すなわち、支持枠２０の下面のストッパ部２２に係止する連結用ライン部１２の係止突起部１２ｂを、図４に示す状態から、その先端側から２番目あるいは１番目の係止突起部１２ｂに変更することにより、弾性ネット部材１０の弾性力を緩めることができる。逆に、支持枠２０の下面のストッパ部２２に連結用ライン部１２の先端側から４番目の係止突起部１２ｂとすることにより、弾性ネット部材１０の弾性力を強めることができる。
【００２２】
また、この弾性ネット部材１０における支持枠２０との係合状態は、全周で同一とすることに限定されるものではなく、周方向の場所により異なる係合状態とすることにより、上述の弾性ネット部材１０の弾性力を、さらに微調整することも可能である。例えば、連結用ライン部１２の係合状態を、支持枠２０の下面のストッパ部２２に係止する連結用ライン部１２の係止突起部１２ｂを、先端側から３番目としたものと４番目としたものとを交互に配置することで、弾性力を微調整することができる。このようにして、弾性ネット部材１０の弾性力を、使用するボールの弾性力に近い弾性力に設定することができる。
【００２３】
次に、実施の形態の作用を説明する。
（使用時）
球技練習具Ａは、脚部材３０のカバー材３３の底面３３ａを、床、地面などに接触させ、支持枠２０および弾性ネット部材１０を、床、地面などから浮かせた状態として使用する。
この状態で、図外のバスケットボールなどのボールを、弾性ネット部材１０に対し、上方から突くと、弾性ネット部材１０が下方に伸張した後、その復元力でボールが上方に跳ね返される。これを連続的に行うことで、バスケットボールのドリブルや毬つきなどを行うことができる。
【００２４】
このとき、ボールは、地面や床に衝突して自身の弾性力により弾むのではなく、地面や床に衝突することなく弾性ネット部材１０の弾性力により弾むため、ボールを直接床や地面などにつく場合と比較して、ボールが跳ね返る際の音や振動の発生が抑制される。すなわち、ボールを突くときに発生する音や振動は、ボールが床や地面に衝突するのに伴って発生するとともに、ボール自身の弾性変形に伴う内部閉空間の圧力変化や共鳴により発生すると考えられる。
【００２５】
それに対し、本実施の形態１の場合、ボールが衝突する相手は弾性ネット部材１０であり、地面や床と衝突するのと比較して、衝突音が小さく、また、弾性ネット部材１０は、大気中に開放されており、弾性変形および復元した際に、ボールのような閉空間での共鳴は生じることはなく、弾性ネット部材１０の伸縮変形に伴い発生される音や振動は極めて小さくなる。
【００２６】
さらに、弾性ネット部材１０は、網状を成しているため、弾性シートなどのシート状のものに衝突させる場合と比較して、ボールとの衝突音を抑えることができる。すなわち、ボールが弾性ネット部材１０に衝突した際の衝撃は、支持枠２０から床などに伝達され、その振動が衝突音を発生させる。この際、ボールとの衝突箇所から、支持枠２０への振動の伝達経路が、弾性シートの場合、直線的に伝達されるのに対し、弾性ネット部材１０では、網形状であることから、振動の伝達経路が何度も折れ曲がる経路となる。したがって、振動の伝達中の減衰量が多くなり、支持枠２０への振動伝達を抑え、結果、音、振動の発生を抑えることができる。
【００２７】
また、弾性ネット部材１０は、網状に形成しているため、全体質量を抑えることができる。これにより、弾性ネット部材１０が、伸長して縮む際に支持枠２０に伝達されるエネルギーを抑え、このエネルギーにより支持枠２０が上下方向に移動するのを抑えることができ、支持枠２０がガタついて騒音が発生するのも抑えることができる。
【００２８】
加えて、脚部材３０の下端に発泡弾性材により形成されたカバー材３３を装着しているため、ボールを突いたときの入力が、脚部材３０を介して床や地面に伝達されることによる音、振動の発生を抑制できる。しかも、カバー材３３は、錐形状として底面３３ａの面積を広く確保しているため、この面積が狭いものよりもさらに、音、振動の発生を抑制できる。
【００２９】
（ゴム疲労時）
経時的な使用により、弾性ネット部材１０の反発力が低下した場合、上述したように、支持枠２０の下面のストッパ部２２に係止する連結用ライン部１２の係止突起部１２ｂを、変更して弾性ネット部材１０の張力を強めることができる。
【００３０】
あるいは、新しい弾性ネット部材１０と交換することも可能である。この場合、古い弾性ネット部材１０の連結用ライン部１２と支持枠２０との係合を外して弾性ネット部材１０を取り外し、新たな弾性ネット部材１０の連結用ライン部１２を、支持枠２０の縦溝２１に挿入して係止状態とすることで、交換することができる。
【００３１】
（実施の形態１の効果）
以上説明したように、実施の形態１の球技練習具Ａは、弾性素材により網状に形成された弾性ネット部材１０と、この弾性ネット部材１０を所定の張力で張った状態で弾性ネット部材１０の外周端縁部を支持する支持枠２０と、この支持枠２０に結合され、支持枠２０を所定の高さで略水平に保持する脚部材３０と、を備え、
前記弾性ネット部材１０が、上方から落ちてきた設定範囲の重さのボールを、前記伸縮による復元力で上方に跳ね返し可能な弾性力に設定されていることを特徴とする。
したがって、球技練習具の弾性ネット部材１０に連続的にボールをついてドリブルの練習や毬つきなどを行うことができるとともに、その際に、音、振動の発生を抑えることができる。しかも、弾性を有した網状の弾性ネット部材１０を用いたことにより、弾性シートを用いて場合と比較して、弾性ボールを突いた際の音、振動の発生をさらに抑えることが可能となった。
【００３２】
また、実施の形態１の球技練習具Ａは、弾性ネット部材１０は、網状に形成された本体部１１と、この本体部１１から外方に延びる紐状に形成された連結用ライン部１２と、を備え、連結用ライン部１２が、本体部１１に張力を与えた状態で支持枠２０に係止されていることを特徴とする。
このように、連結用ライン部１２から弾性素材により網状に形成された本体部１１に直接張力を与え、本体部１１が弾性力を有するようにしたため、従来のトランポリンのように、別途、弾性力を有しないシートの外周に弾性力を有するコイルスプリングなどを追加設定する必要が無く、構造の簡略化を図り、コストダウンを達成可能である。
しかも、実施の形態１では、連結用ライン部１２は、本体部１１と一体に形成したものを用いたため、本体部１１とは別体の連結用紐状部を設けるものと比較して、部品点数を削減して、コストダウンを図ることができる。
【００３３】
さらに、実施の形態１の球技練習具Ａは、連結用ライン部１２は、その延在方向に支持枠２０に係止可能な係止突起部１２ｂを複数備え、支持枠２０に係止する係止突起部１２ｂの位置の違いにより、本体部１１の弾性力を変更可能に形成されていることを特徴とする。
このように、本体部１１の弾性力を変更可能であるため、使用者の好みに応じてボールを突いた時の跳ね返り具合を任意に調整可能であり、使い勝手に優れる。しかも、この張力の調整を、連結用ライン部１２に単に係止突起部１２ｂを複数設けることにより達成できるため、上記弾性力の調整を安価に達成可能である。
【００３４】
加えて、実施の形態１の球技練習具Ａは、弾性ネット部材１０は、ハニカム状に形成されていることを特徴とする。
これにより、弾性ネット部材１０の強度を確保可能であり、これを安価に達成することができる。
【００３５】
さらに、実施の形態１の球技練習具Ａは、ハニカム状の本体部１１の外周に、ハニカム同士をハニカムの１／２の形状の部分で連結した第１の連結部１１ａと、ハニカムの１つの角部を省略した５角形状として連結した第２の連結部１１ｂとを、周方向に交互に配置し、各連結部１１ａ，１１ｂの周方向中央に、連結用ライン部１２を一体に形成したことを特徴とする。
したがって、弾性ネット部材１０の本体部１１をハニカム形状の網状に形成したものにおいて、連結用ライン部１２を放射状に外径方向に延ばすのにあたり、ハニカム同士の間の位置から本体部１１の強度を確保しつつ、連結用ライン部１２を外径方向に延在させることができる。
【００３６】
また、実施の形態１の球技練習具Ａは、支持枠２０は、円環状に形成され、かつ、周方向に複数に分割された分割枠２０ａ，２０ｂ，２０ｃを結合して形成されていることを特徴とする。
このように、支持枠２０を円環状に形成することにより、三角形状や四角形状などの角数の少ない多角形状に形成した場合と比較して、弾性ネット部材１０の張力の均一化を図り、跳ね返り性の安定化を図ることができる。
しかも、複数に分割された分割枠２０ａ，２０ｂ，２０ｃを結合して支持枠２０を形成したことにより、一体に形成したものよりも製造時の歩留まりを向上することができる。
【００３７】
そして、実施の形態１の球技練習具Ａは、脚部材３０のブラケット部３１は、複数に分割された分割枠２０ａ，２０ｂ，２０ｃ同士を結合する部材を兼ねることを特徴とする。
したがって、分割枠２０ａ，２０ｂ，２０ｃ同士を結合するための単独の部材を追加設定するものと比較して、部品点数を削減してコストダウンを図ることができる。
【００３８】
また、脚部材３０は、下端部の外周に発泡材製のカバー材３３が装着されていることを特徴とする。
したがって、ボールを突いた時の振動が、支持枠２０から脚部材３０を介して、実施の形態の球技練習具Ａを載置する床面などに伝達されるのをさらに抑え、音、振動の発生をさらに抑制することができる。
しかも、カバー材３３は、錐形状として底面３３ａを、その上方部分よりも広い面積を確保したため、上記の音、振動の抑制効果をさらに高めることができる。
【００３９】
（他の実施の形態）
次に、他の実施の形態の球技練習具について説明する。
なお、他の実施の形態の説明にあたり、既に説明した構成と共通する構成には同じ符号を付して説明を省略し、相違点のみ説明する。
（実施の形態２）
次に、図５にその要部を示す実施の形態２の球技練習具について説明する。
この実施の形態２の球技練習具は、支持枠２００および脚部材２３０の構成が実施の形態１と異なる。
実施の形態２では、支持枠２００を複数に分割（例えば、実施の形態１と同様に三分割）した分割枠２０２ａ，２０２ｂ（三分割した２つのもののみを図示）は、それぞれ、周方向の両端部に、脚部２３１，２３２を一体に備える。
【００４０】
そして、各分割枠２０２ａ，２０２ｂを、周方向に連続して配置した状態で、対向して配置される各脚部２３１，２３２を、図示を省略したボルト・ナットやビスなどの締結具や接着剤や溶接などにより、一体に結合させることにより、脚部材２３０が形成されている。また、上記の各脚部２３１，２３２を結合させることにより、分割枠２０２ａ，２０２ｂが周状に連続して配置され、実施の形態１と同様に、円環状を成す支持枠２００が形成される。
【００４１】
なお、上述の脚部材２３０の下端部には、実施の形態１と同様に、カバー材２３３が装着されている。また、上述のような脚部２３１，２３２が一体に形成された各分割枠２０２ａ、２０２ｂは、ステンレスなどの金属板により形成されているものとするが、樹脂など他の素材により形成することもできる。
【００４２】
以上のように、実施の形態２の球技練習具は、支持枠２００が、複数の分割枠２０２ａ，２０２ｂから形成され、各分割枠２０２ａ，２０２ｂは、周方向の両端に脚部２３１，２３２が一体に形成され、複数の分割枠２０２ａ，２０２ｂを、周方向に連続して配置し、隣り合う脚部２３１，２３２同士を結合して、支持枠２００および脚部材２３０が形成されていることを特徴とする。
【００４３】
したがって、独立した脚部材が不要になり、部品点数を削減し製造のコストおよび手間を削減できる。
また、分割枠２０２ａ，２０２ｂおよびそれと一体の脚部２３１，２３２を金属により形成したため、支持枠２００の重量が確保でき、ボール突きを行った際に、弾性ネット部材１０の伸縮に伴って、支持枠２００が移動するのを抑制できる。これにより、音、振動の発生を、いっそう低減可能である。
なお、本実施の形態２の球技練習具においては、実施の形態１と同様に支持枠２００の外周部には、円周方向に等間隔で１２箇所に、支持枠２００の円弧の中心軸に沿う方向に延在された縦溝２２１が形成されている。この縦溝２２１は、溝幅が、ライン部本体１２ａの直径寸法程度であって係止突起部１２ｂより幅狭に形成されているとともに、外径側の開口部分が、ライン部本体１２ａの直径よりも幅を狭く形成されている。そして、縦溝２２１の下端部の外周縁部の支持枠２００の下端面が、係止突起部１２ｂを前記中心軸に沿う方向に係止させることができるストッパ部とされている。
【００４４】
以上、図面を参照して、本発明の実施の形態を詳述してきたが、具体的な構成は、この実施の形態に限らず、本発明の要旨を逸脱しない程度の設計的変更は、本発明に含まれる。
具体的には、実施の形態では支持枠を円環状にした例を示したが、その形状は、これに限定されるものではなく、例えば、６角形枠、８角形枠などの角数の多い多角形状に形成してもよい。
【００４５】
また、弾性網状部材としての弾性ネット部材は、実施の形態１では、その本体部をハニカム状に形成した例を示したが、その形状は、これに限定されるものではなく、三角や四角などの多角形状や、円形としてもよい。
また、実施の形態では、弾性網状部材は、本体部と連結用紐状部とを備えたものを示したが、これに限定されることなく、例えば、連結用紐状部を設けることなく、実施の形態の本体部に相当して全体を網状に形成されたものの外周を、直接、支持枠に支持した構造としてもよい。
さらに、弾性網状部材が、連結用紐状部を備えるものにあっても、実施の形態で示したように、連結用紐状部が本体部に一体に形成されたものに限定されるものではなく、連結用紐状部を本体部とは別体としてもよい。また、この場合、連結用紐状部は、必ずしも弾性変形可能なものを用いる必要はない。すなわち、弾性変形しないものであっても、弾性網状部材を引っ張って弾性網状部材に張力を与えることは可能であり、しかも、その長さを調整することにより、本体部の弾性力を調整することが可能である。
【００４６】
また、連結用紐状部材の長さの調節は、実施の形態のように複数の係止突起部を備えるものに限定されるものではない。例えば、支持枠側に、連結用紐状部材を係止したり、挟み込んで固定するような構造を設けたりすることもできる。また、係止部としても、実施の形態において示したような突起状のものに限定されるものではなく、連結用紐状部材と支持枠との一方に、穴や鉤状の部材などを設け、他方に、穴や鉤状の部材に係合させる軸部材や鉤状の部材などを設け、係合位置を変更する構造としてもよい。この場合、穴や鉤状の部材と、それに係合させる軸や鉤状の部材は、いずれを複数設けてもよいし、両方、複数設けてもよい。あるいは、連結用紐状部と支持枠とに係合構造を設けることなく、単に、支持枠に結び付けるようにしてもよい。
【符号の説明】
【００４７】
Ａ      球技練習具
１０    弾性ネット部材（弾性網状部材）
１１    本体部
１２    連結用ライン部（連結用紐状部）
１２ａ  ライン部本体
１２ｂ  係止突起部（係止部）
２０    支持枠
２０ａ，２０ｂ，２０ｃ  分割枠
３０    脚部材
３２    脚本体
３３    カバー材
【図１】
2017150525.tif 000003
【図２】
2017150525.tif 000004
【図３】
2017150525.tif 000005
【図４】
2017150525.tif 000006
【図５】
2017150525.tif 000007
【国際調査報告】
2017150525.tif 000008
2017150525.tif 000009
2017150525.tif 000010
2017150525.tif 000011